(57)【要約】【課題】文字が読めない子供たちにも知に触れることの楽しみを教えることができるための教科書を容易に作成できる装置を提供することを課題とする。【解決手段】サーバ３は、前記教育素材作成者端末１から送信された教育素材情報を受信する受信部８と、受信した前記教育素材情報と関連性のある予め記憶されている他の教育素材情報を抽出する制御部９と、前記教育素材情報と抽出した前記他の教育素材情報とを紐付けて記憶しておく記憶部１０と、前記教科書作成者端末４から送信された教育素材情報抽出要求に対応した教育素材情報を抽出し、かつ抽出した教育素材情報に関連する他の教育素材情報を抽出する教育素材抽出部１１と、抽出された教育素材情報および関連性のある他の教育素材情報を編集し、教科書情報を作成する教科書情報作成部１２と、前記教科書情報を教科書作成者端末に配信する。【選択図】図６
2010191339.tif 000002
【特許請求の範囲】
【請求項１】
サーバと、教育素材作成者端末、及び教科書作成者端末とがインターネットを介して接続することで教科書情報を配信する教科書情報配信装置であって、
前記サーバは、前記教育素材作成者端末から送信された教育素材情報を受信する受信部と、
受信した前記教育素材情報と関連性のある予め記憶されている他の教育素材情報を抽出する制御部と、
前記教育素材情報と抽出した前記他の教育素材情報とを紐付けて記憶しておく記憶部と、
前記教科書作成者端末から送信された教育素材情報抽出要求に対応した教育素材情報を抽出し、かつ抽出した教育素材情報に関連する他の教育素材情報を抽出する教育素材情報抽出部と、
抽出された教育素材情報および関連性のある他の教育素材情報を編集し、教科書情報を作成する教科書情報作成部と、
前記教科書情報を教科書作成者端末に配信する教科書情報配信部と
を備えていることを特徴とする教科書情報配信装置。
【請求項２】
前記教育素材情報は画像情報のみで構成されていることを特徴とする請求項１に記載の教科書情報配信装置。
【請求項３】
前記教科書作成者端末からの要求指示に応じて、前記教科書情報を版データに変換する教科書情報変換部を備えることを特徴とする請求項１又は２に記載の教科書情報配信装置。
【発明の詳細な説明】
【技術分野】
【０００１】
本発明はインターネットを介して、世界中から教育素材を集め、それをもとに国家、民族、宗教の違いを超えて共感できる教科書を作成し、それを世界中に配信する教科書配信装置に関する。
【背景技術】
【０００２】
近年、インターネットを介して、コンピュータを用いた情報の流通が盛んに行われている。そのひとつとして、コンピュータの画面上に講義内容の情報を表示して、各種講座等の学習を行なわせるサービスが行われている。これらのサービスは受講したいと思った人が講義を選択すると、その講義に対応した教科書情報が配信される形になっている。
現在、教科書配信装置としては教科書データを章ごとや単元ごとに分割し、保存しておき、それを組み合わせて教科書データを作成し配信する装置や、不要な章や単元を削除することにより、教科書データを作成し、配信する装置などが提案されている（特許文献１、特許文献２参照）。また、学習したいと思った人が、教科書情報を入手し、学習することができるという学習支援装置も提案されている。（特許文献３参照）。
【先行技術文献】
【特許文献】
【０００３】
【特許文献１】特開平９−１３４１１４号公報
【特許文献２】特開２００３−９９５４５号公報
【特許文献３】特開２００５−４３６６３号公報
【発明の概要】
【発明が解決しようとする課題】
【０００４】
上記のように、インターネット環境があれば学習したいときに学習できるようになってきている。しかし、インターネットが世界中に普及する一方、世界にはまだ食べることに精一杯で知に接することができない子供たちも多い。さらに、識字力も養われていない場合が多いので、内容のほとんどを文字により記載された教科書を提供されても読むことすらできないというのが現状である。本発明は上記の課題を解決するものであり、文字が読めない子供たちにも知に触れることの楽しみを教えることができるための教科書を容易に作成できる装置を提供することを課題とする。
【課題を解決するための手段】
【０００５】
本発明はかかる課題を解決するものであり、請求項１に係わる発明は、サーバと、教育素材作成者端末、及び教科書作成者端末とがインターネットを介して接続することで教科書情報を配信する教科書情報配信装置であって、前記サーバは、前記教育素材作成者端末から送信された教育素材情報を受信する受信部と、受信した前記教育素材情報と関連性のある予め記憶されている他の教育素材情報を抽出する制御部と、前記教育素材情報と抽出した前記他の教育素材情報とを紐付けて記憶しておく記憶部と、前記教科書作成者端末から送信された教育素材情報抽出要求に対応した教育素材情報を抽出し、かつ抽出した教育素材情報に関連する他の教育素材情報を抽出する教育素材情報抽出部と、抽出された教育素材情報および関連性のある他の教育素材情報を編集し、教科書情報を作成する教科書情報作成部と、前記教科書情報を教科書作成者端末に配信する教科書情報配信部とを備えていることを特徴とする教科書情報配信装置を提供するものである。
【０００６】
請求項２に係わる発明は、前記教育素材情報は画像情報のみで構成されていることを特徴とする請求項１に記載の教科書情報配信装置を提供するものである。
【０００７】
請求項３に係わる発明は、前記教科書作成者端末からの要求指示に応じて、前記教科書情報を版データに変換する教科書情報変換部を備えることを特徴とする請求項１又は２に記載の教科書情報配信装置を提供するものである。
【発明の効果】
【０００８】
請求項１に記載の発明によれば、サーバ上に教育素材の作成者から提供された教育素材が関連性のある他の教育素材と紐付けて記憶されている。このため教科書を作成したい者が自由に教育素材を使用して教科書が作成できるとともに、関連性のある教育素材が紐付けられて記憶されているのでストーリー性のある教科書を容易に作成することが可能となる。
【０００９】
また、請求項２に記載の発明によれば、教育素材は画像のみで構成されているため、国家、民族、宗教などの違いによる言語の壁を越えた教科書を作成することが可能となる。
【００１０】
また、請求項３に記載の発明によれば、作成した教科書情報を版データに変換することが可能であるため容易に印刷するこが可能となる。
【００１１】
よって、本発明の教科書配信装置を用いれば、教育素材を作成したいと思った人は自由に教育素材を作成し、提供することができる。そして、教科書を作成したいと思った人がいれば、自由にテーマを選択して、教科書を作成し、所望の提供先に提供することができる。加えて、作成される教科書は基本的に世界中のどの人が読んでも共通の理解が得られるような形で作成することが可能になる。
【図面の簡単な説明】
【００１２】
【図１】図１は本発明の一実施形態に係わる教科書情報配信システムの構成を表す説明図である。
【図２】図２は本発明の一実施形態に係わる教科書情報配信システムの構成を表す説明図である。
【図３】図３は本発明の一実施形態に係わる教科書情報配信システムの構成を表す説明図である。
【図４】図４は本発明の一実施形態に係わる教科書作成システムのフローチャートである。
【図５】図５は本発明の一実施形態に係わる教科書作成システムのフローチャートである。
【図６】図６は本発明の一実施形態に係わるサーバの各機能部の構成を表す説明図である。
【図７】図７は本発明の一実施形態のテーマ選択画面の説明図である。
【図８】図８は本発明の一実施形態の教育素材選択画面の説明図である。
【図９】図９は本発明の一実施形態の関連教育素材選択画面の説明図である。
【発明を実施するための形態】
【００１３】
以下に本発明を実施するための形態について、図を用いて説明する。図１には教科書情報配信システムの構成を示す説明図である。教育素材作成者端末１と、サーバ３と、教科書作成者端末４とインターネット２を介して接続されている。教育素材情報は、インターネット２を介して、サーバ３に送られる。サーバ３に送られた教育素材情報はサーバ内の制御部によって、既に記憶されている他の教育素材と関連付けられた後、記憶される。次に、教科書作成者端末４からの指示により、サーバ３において教科書情報が作成され、教科書作成者端末４に送信される。図１では教育素材作成者端末と教科書作成者端末は別に設けられているが、教育素材作成者端末１と教科書作成者端末４は同じでも良い。
【００１４】
図２は教科書情報を配信するシステムの説明図である。教科書作成者端末４からの指示により、サーバ３から作成された教科書情報が配信される。この時、必要に応じて教科書作成者端末４以外の端末にも教科書情報を配信することができる。教科書作成者端末４以外の端末としては、ＰＣ以外にも、携帯電話、ＦＡＸ、ＰＤＡ、デジタルフォトフレームなどを用いることができるが、ネットワークに接続可能な端末であれば良く、特に限定されない。
【００１５】
図３にはインターネット環境のない地域への配信方法を示す。教科書作成者端末４からの指示により、サーバ３は教科書情報を版データに変換する。次に、サーバ３は当該版データを印刷会社端末６に送信する。当該版データを受信した印刷会社端末６は教科書７を印刷、製本し所定の配布先に送付する。
【００１６】
次に教科書情報を作成する流れを、図を用いて説明する。図４は教科書を作成する処理のフローチャートである。まず、教科書を作成するかを選択する（Ｓ１００）。作成する場合はテーマ選択に移る（Ｓ１０１）。作成しない場合はすでに保存されている教科書情報の中から選択する。テーマを選択すると、選択されたテーマに応じた教育素材情報が提示される（Ｓ１０２）。この時、提示される教育素材情報は画像情報のみによって構成されたものだけである。教育素材情報を選択すると（Ｓ１０３）、選択された教育素材情報に関連付けられている他の教育素材情報が提示される（Ｓ１０４）。この時、提示される他の教育素材情報の中にはテキスト情報が含まれているものもあり、教科書作成者は必要に応じて選択することができる。必要な他の教育素材情報を選択し終えると（Ｓ１０５）、その情報で教科書を作成するかを選択する（Ｓ１０６）。教科書を作成することを選択すると、抽出された教育素材情報を元に教科書情報を作成する（Ｓ１０７）。教科書を作成しないことを選択すれば、テーマ選択、教育素材情報選択、他の教育素材情報選択まで戻ることができ、さらに情報を追加することも可能となる。
【００１７】
図５により詳細な教科書を作成する処理のフローチャートを示した。まず、テーマを選択する（Ｓ２００）。すると、テーマに対応した教育素材情報が提示される（Ｓ２０１）。次に、教科書に必要な教育素材情報を選択する（Ｓ２０２）。すると、選択した教育素材情報に関連付けられた他の第一教育素材情報が提示される（Ｓ２０３）。他の教育素材情報を選択すると（Ｓ２０４）、選択された他の教育素材情報のより詳細な情報として関連付けられている第二の素材情報が提示される（Ｓ２０５）。第三、第四と関連付けのレベルが上がるについて、より高度で詳細な他の教育素材情報になっていき、他の教育素材情報の選択を終了すると、教科書を作成するか選択できる（Ｓ２１１）。
【００１８】
図６はサーバの各機能部の構成を示した説明図である。サーバ３は、受信部８と、制御部９と、教育素材情報記憶部１０ａと教科書情報記憶部１０ｂとから構成される記憶部１０と、教育素材情報抽出部１１と、教科書情報作成部１２と、教科書情報変換部１３と、配信部１４とを備える。教育素材作成者端末１より送信された教育素材情報は、サーバ３内の受信部８で受信した後、制御部９で、既に記憶部１０ａに記憶されている他の教育素材情報と関連付けられて、教育素材情報記憶部１０ａに保存される。該記憶部１０ａに保存された教育素材情報は教育素材情報抽出部１１によって抽出され、教科書情報作成部１２によって教科書情報として編集される。編集された教科書情報は該教科書情報記憶部１０ｂに保存されると共に、配信部１４によって配信される。この時、教科書情報は必要に応じて、教科書情報変換部１３で印刷の版データに変換されて配信される。
【００１９】
実際に教科書を作成する際の画面の構成について、図を用いて説明する。図７に示したようにテーマを選択する画面が表示される。テーマは文字によって記載されていても良く、画像のみでも良い。図８には教育素材選択画面の説明図を示している。例えば「天体」をテーマとして選択すると、天体に関連付けられている教育素材情報が画面上に表示される。画面に表示されている「惑星」を選択し、それ以外を選択しないことにする。図９には選択された教育素材情報に関連する他の教育素材情報の選択画面を示している。図８に示された教育素材情報の選択画面において「惑星」を選択した場合、惑星に関連付けられた他の教育素材が画面に表示される。ここで、必要な教育素材を選択し、選択を終了すると、教科書が作成される。例えば、今回の惑星の項目の選択画面で地球と土星を選択したとすると、土星と地球との距離など、両者の関係情報が記載されることになる。
【００２０】
上記の構成にすることにより、画像情報のみで教科書情報を作成することができるので、世界のどの地域の人でも理解できる世界共通教科書を作成することができる。
【符号の説明】
【００２１】
１      教育素材作成者端末
２      インターネット
３      サーバ（教科書配信装置）
４      教科書作成者端末
５      配信先端末
６      印刷会社端末
７      教科書
８      受信部
９      制御部
１０    記憶部
１０ａ  教育素材情報記憶部
１０ｂ  教科書情報記憶部
１１    教育素材情報抽出部
１２    教科書情報作成部
１３    教科書情報変換部
１４    配信部
【図１】
2010191339.tif 000003
【図２】
2010191339.tif 000004
【図３】
2010191339.tif 000005
【図４】
2010191339.tif 000006
【図５】
2010191339.tif 000007
【図６】
2010191339.tif 000008
【図７】
2010191339.tif 000009
【図８】
2010191339.tif 000010
【図９】
2010191339.tif 000011